(57)【要約】【課題】複数の異機種のセル方式携帯無線電話ユニットに対する汎用の物理的かつ電気的な接続を提供する。【解決手段】セルラー電話はケーブルを介して制御ユニットに接続される。ケーブルは双方とも汎用コネクタを介して一端において電話器に取り付けられ、他端において制御ユニットに取り付けられるための適正な境界領域的接続点を有している。汎用コネクタの少なくとも１つの接点（５０）は他端においてコネクタに取り付けられるセルラー電話の機種を同定するためにコード化信号を生成することができる。制御ユニットにおけるデコーダ（６６）はテーブル索引等によって電話の機種を同定し、汎用コネクタにおいて適正なインターフェース機能を設定し、セルラー電話と適正に動作する。従って、制御ユニットは相異なる構成のケーブル接続及びケーブルコネクタの接点割当基準を有する多様なセルラー電話のいずれであっても機能できる。【選択図】図７
2004007783.tif 000002
【特許請求の範囲】
【請求項１】
　第１の接続装置又は第２の接続装置として使用される接続装置であって、当該接続装置は、携帯可能であるとともにバッテリーにより充電されるセルラー電話（１０）をホストアッセンブリ（１５０）と接続するものであり、
　前記ホストアッセンブリと接続可能な共通コネクタ（４５）と、
　前記セルラー電話と接続可能なセルラー電話特定コネクタ（４８）と、
　前記共通コネクタ（４５）とセルラー電話特定コネクタ（４８）との間で信号を搬送する複数の信号搬送導体であって、前記第１の接続装置又は第２の接続装置の信号搬送導体は、それら第１の接続装置と第２の接続装置で同一である各共通コネクタ（４５）において、第１の物理的形状となるように配列された第１の接続端子と、第１の接続装置と第２の接続装置で相違する各セルラー電話特定コネクタ（４８）において、前記第１の物理形状とは異なる第２の物理的形状となるように配列された第２の接続端子とを含み、前記第１の接続装置における第２の接続端子の第２の物理形状は、前記第２の接続装置における第２の接続端子の第２の物理形状とは異なるものであり、前記信号搬送導体の１つは、前記第１の接続装置に接続可能なセルラー電話（１０）にバッテリー充電信号（１０１）を搬送するものであり、前記第１の接続装置に接続可能なセルラー電話に搬送されるバッテリー充電信号は、前記第２の接続装置に接続可能なセルラー電話に搬送されるバッテリー充電信号とは異なるものである前記複数の信号搬送導体と、
　前記セルラー電話特定コネクタ（４８）に接続されたセルラー電話（１０）を特定するための手段とを備える接続装置。
【請求項２】
　前記特定するための手段は、デジタル信号を含む請求項１に記載の接続装置。
【請求項３】
　前記特定するための手段は、アナログ信号を前記デジタル信号に変換するための手段を含む請求項２に記載の接続装置。
【請求項４】
　前記第１の接続装置に接続可能なセルラー電話に搬送されるバッテリー充電信号は、前記第２の接続装置に接続可能なセルラー電話に搬送されるバッテリー充電信号の電圧とは異なる電圧を有する請求項１に記載の接続装置。
【請求項５】
　前記第１の接続装置における前記第２の接続端子は、前記セルラー電話特定コネクタ（４８）において、柱状、方形、ばね接点及びパッド型の中の１つとなるように物理的に配置させられるとともに、前記第２の接続装置における前記第２の接続端子は、前記セルラー電話特定コネクタ（４８）において、柱状、方形、ばね接点及びパッド型の中の別の１つとなるように物理的に配置させられる請求項１に記載の接続装置。
【請求項６】
　前記特定するための手段は、前記共通コネクタ（４５）によって供給され、前記第１の接続装置に接続されたセルラー電話（１０）を特定するためのコード化信号を含む請求項１に記載の接続装置。
【請求項７】
　前記コード化信号は、所定のセルラー電話に対応した強度を有するアナログ信号である請求項６に記載の接続装置。
【発明の詳細な説明】
【技術分野】
【０００１】
　本発明はセルラー電話のインターフェースのシステム及び処理に関する。より詳細には、本発明は多様なセル方式携帯無線電話の中の如何なる電話であっても共通のベースユニットに取り付けるための多芯ケーブルに関する。本発明は更に接続部に取り付けられるセルラー電話の機種を認識し、かつこの電話器を支持インターフェースに整合させるための装置及び方法に関する。
【背景技術】
【０００２】
　セルラー電話システムは効果的な音声及びデータ移動通信手段として広く受け入れられるようになった。初期の可動式ユニットは大型かつ複雑であったが、小型化によって、機能性を充分に備え、車両に接続することなくユーザーが自由に電話ユニットを使用できる携帯ユニットが可能になった。残念ながらこの小型化によって携帯ユニットは車両用においては実用性が低下した。例えば、バッテリー充電、遠隔アンテナの接続、音声及びデータ通信、特に「手を使う必要のない」機能として知られている操作には電話ユニットとの物理的接続が必要である。
【０００３】
　この問題を解決すべく、セルラー電話の製造業者は必要な特徴を備えた車両用キットが得られるようにした。これらキットは車両に電話器を保持するための物理的ハードウェアを有し、これには電話器との電気接続を設定するための接続機構及び多種類の遠隔スピーカ、マイク及びアンテナの接続点がある。これらキットはバッテリー充電、音声増幅及びデジタル通信インターフェースを電話ユニットに付与するための複雑なエレクトロニクスモジュールも有している。
【０００４】
　セルラー電話には多数の機種が存在し、それぞれの物理的相互接続及び電気インターフェースは製造業者の特定機種に固有のものである。現在用いられている物理的相互接続には多くの例がある。この結果、車両用キットは如何なる形態の汎用接続も付与せず、物理的にも電気的にも互換性がない。更に、これらのキットが多様にわたり、生産量が比較的少ないため、ユーザーはこれらのキットを得るために遥かに複雑な電話ユニットそのものに匹敵し得る代価を支払うことを余儀なくされる。
【０００５】
　この状況によりセルラー電話のユーザーは困難を感じるようになり、新規の装置を求める市場に影響を及ぼすことになった。例えば、量販車のユーザーは入手する多様な電話器に合った汎用の車両用キットの接続を付与することができない。ユーザーは新型の電話器を購入した時に車両用キットに投資するのを断念せざるを得なくなる。これらの制約によりレンタカー代理業等の事業ではレンタカーにて自動車電話を使用する手段をユーザーに提供できなくなっている。更に、これら車両用キットは高コストであるため、多くのユーザーは運転中に携帯用ユニットを操作するようになったが、これは政府の関心及び規制が強まってその影響を受けやすくなり、不用心な状況と言える。
【発明の開示】
【発明が解決しようとする課題】
【０００６】
　本発明の１つの目的は複数の異機種のセル方式携帯無線電話ユニットに対する汎用の物理的かつ電気的な接続を提供することにある。選択可能なアダプタケーブルのコード化によって、取り付けられる電話器の特定機種を同定することが可能になり、よってデータ処理ユニット等により適正な電気インターフェース支持機能を設定できる。
【０００７】
　本発明の更なる目的は多数の携帯電話とインターフェースする手段を付与し、電話器の多くの構成及び機種に有用な低コストの電気アダプタを得ることにある。
　本発明は自動車用及び自動車環境に重きをおいて実施例を詳述するため、以下に記載されている。しかし、本発明は自動車環境に限定されるものではなく、如何なる環境での使用にも好適であり、これには携帯ユニットが機能する建物内及び如何なる場所も含まれるとともに、あらゆる種類の車両、トラクタ、ボート又は航空機も含まれる。
【課題を解決するための手段】
【０００８】
　本発明の装置では所定の構成及び接点割当基準にて所定数のコネクタを有する多接点コネクタを第１端部にて有するケーブルに汎用インターフェースが設けられている。第１端部におけるコネクタの少なくとも１つはコード化信号を呈示するようになっている。この信号コード化により、少なくともケーブルの反対側端部におけるコネクタに取り付けられるセルラー電話の機種が認識される。ケーブルの反対側端部のコネクタに取り付けられるセルラー電話の機種を判定するために、コード化信号用コネクタに装置が接続される。電話器が同定されると、システムによってケーブルの第１端部のコネクタ接点はケーブルに取り付けられるセルラー電話との機能的動作を遂行することが可能になる。
【０００９】
　コード化信号はセルラー電話の機種同定に関連する。複数のセルラー電話の中の特定の１つと機能的に動作するためのケーブルの第１端部のコネクタを制御するための情報が、多数の情報群として検索可能に記憶されている。この情報群の各々はコード化信号に基づいて選択可能である。これにより、コード化信号によって同定される情報群を記憶装置から選択し、この情報群を用い、ケーブルコネクタを介してセルラー電話との適正なインターフェースを可能にするための受信コード化信号に応答することが可能になる。
【００１０】
　本発明の方法では、所定の構成の所定数のコネクタを有する多接点コネクタを第１端部に備え、これら第１端部のコネクタの中の少なくとも１つがコード化信号を呈示するようにされたケーブルとの汎用インターフェースを提供する。ケーブルは更にセルラー電話に取り付けられるように適合されたコネクタをケーブルの反対側端部において有する。コード化信号はケーブルの第１端部のコネクタにおいて検知される。これにより、ケーブルの反対側端部のコネクタに取り付けられるセルラー電話の機種を判定できる。この工程によって、ケーブルの第１端部のコネクタ接点は機器の他端に取り付けられるセルラー電話との機能的動作を行うことができる。
【００１１】
　本発明に基づくケーブルは汎用コネクタのために明示した第１基準に基づいて配列された制御ユニット用コネクタ入力を有する制御ユニットに装着されるように構成される。制御ユニットは第１基準とは大幅に異なる第２基準に従って配列された複数の電気接点を有するコネクタを備えたセルラー電話とインターフェースするように設計される。インターフェースケーブルの目的は第２基準のコネクタを有する特定機種のセルラー電話に制御ユニットを機能的に接続することにある。
【００１２】
　これを目的として、ケーブルの一端におけるコネクタは前記第１基準に基づいて配列された複数の電気接点を有する。第２コネクタはケーブルの反対側端部に取り付けられ、第１基準と第２基準との共通機能に基づき、複数の導電体が第１コネクタのそれぞれの接点を対応する接点に接続している。第１基準コネクタの１つ以上の接点においてコード化信号が生成され、第２基準コネクタに取り付けられるセルラー電話の機種を認識する。
【００１３】
　セル方式携帯無線電話との汎用インターフェースを付与するための本発明に基づく装置は、第１コネクタ及び第２コネクタを備えたケーブルを有し得る。第１コネクタはケーブルの一端に取り付けられ、無線周波数、音声信号及びデジタル信号変換用の接点のみならずバッテリー充電電力生成用の接点も有する。第１コネクタはセルラー電話の構成及び機種を電話器から独立して認識する構造も有し得る。第２コネクタはケーブルの反対側端部に取り付けられる。第２コネクタは複数の異機種のセルラー電話ユニットの中の所定の１つに取付が可能になる接点を有する。ケーブルは更に共通或いは対応する機能を備えた第１コネクタ及び第２コネクタの接点を相互に接続する複数の導体を有している。この結果、入手可能な多様な異機種のセルラー電話の中で所定のセルラー電話に信号処理特性を付与するエレクトロニクスモジュールの間に汎用インターフェースが設定される。
【００１４】
　当業者は添付図面に示すような好ましい実施例について更に詳述した以下の記載から、本発明の前記及び他の目的、特徴、利点及び用途を理解されよう。
【発明を実施するための最良の形態】
【００１５】
　図１に示すユニット１０のようなセル方式携帯無線電話は多様な物理的インターフェースを用いている。セルラー電話には多くの種類があり、それぞれの物理的インターフェース及び電気的インターフェースは製造機種に特有のものである。
【００１６】
　セルラー電話１０はこの種の装置においては一般的な一連の特徴を備えている。キーパッド１２はダイアル呼出し及びその他のデータ処理／生成機能を可能にしている。一端にイヤホン１４が配置され、他端にマイク／スピーカ１５が配置されている。液晶表示装置（ＬＣＤ）１６は限られた情報を短縮してユーザーに提示し、スイッチ１８はオン／オフ制御用である。アンテナ１９は電話器１０がホルダから外された時、電話器１０用のベースユニットと通信する。バッテリーパック２０は電話器１０の下部に装着され、電話器１０がベースユニット（図示せず）に設置される時、定期的に再充電を必要とする。バッテリーパック２０は付替えのために手動ボタン２１によって取り外される。
【００１７】
　ベースユニットとの相互接続はユニット１０の一端におけるプラグ２２によって設定される。図１のコネクタは上面及び下面に電気接点配列を有する中央延長部２４を備えた雄接続である。加えて、プラグ２２の一部としてＲＦ同軸型素子２５が含まれている。素子２５として１つのＲＦコネクタが例示されているが、全てのセルラー電話がＲＦコネクタを有しているわけではないことに留意されたい。従来の使用方法では、ユニット１０はプラグ２２をベースユニットにおける相補形コネクタに接続すべく、ベースユニットに収容される。
【００１８】
　図２Ａ〜２Ｆはセルラー電話に現在用いられている物理的相互接続の一連の例を示している。即ち、図２Ａ〜２Ｆは一般的なセルラー電話装置にて、通常ベースプレートにおいて用いられる柱状接続、方形接続、ばね接点接続及びパッド型接続の典型例を示している。このことから明らかなように、形状及び物理的寸法が広範囲に及ぶため、ベースユニット等との一般的な相互接続は阻害される。この種の電話器は将来更に小型化され、より小さなコネクタを使用することになると考えられている。
【００１９】
　各種電話装置に対する電気インターフェースは更なる問題を提示している。例えば、電話装置に組み込まれて再充電可能なバッテリーパックにおいて使用されるバッテリー形式及び電圧は多岐にわたっている。更に、電気電話信号は電圧レベル及び信号コードに広範囲にわたって存在している。コネクタ接点を有する従来の電話器の入力／出力コネクタ２２のピン、即ちピン３１〜４０に割り当てられた機能の典型例を図３に示す。図３のコネクタ２２は図１に示すコネクタ２２へのピン機能の割当てを表すこともあればそうでないこともあるということに留意されたい。多くのセルラー電話に関連する機能には一定の共通性があるが、所定のピンに割り当てられる機能は機能数、ピン数及びピンの物理的形状が変動するように、変動することが多い。
【００２０】
　コネクタ２２はＲＦ出力に直接接続するための同軸コネクタ４１とともに示されている。ピン３１は遠隔アダプタからのバッテリー充電に使用され、ピン３２は遠隔アダプタの存在を検知するのに使用され、ピン３３は遠隔アダプタへのデジタル通信に使用される。ピン３４は電話器の電源がオンであることを信号で遠隔アダプタに伝送するのに使用される。ピン３５は遠隔スピーカアンプを駆動するための低レベル音声出力信号を有している。ピン３６及び３９は内部接地接続を付与している。ピン３７はＣＰＵクロック信号を付与し、ピン３８にはＣＰＵ通信ポートが割り当てられ、ピン３９は遠隔マイクから信号を受信するのに使用される。
【００２１】
　図５に一般的な電話装置の内部構成をブロック図で示し、電話器の内部ブロックの機能と上記の入力／出力コネクタ２２との相互接続を更に詳細に示している。図５の周辺要素は図１の相対物に対応している。スピーカ１５Ａはマイク１５Ｂとは別個になっているが、双方ともユニット１０の端部に収容されていることに留意されたい。これは直接ユーザーの耳の中に呼出音が生成されるのを防止するためである。無線ボード４２は無線周波数信号取扱い構成部品を有し、他方、入力／出力インターフェースを備えた従来のＣＰＵを有するコンピュータはボード４４に収容されている。ボード４４のＣＰＵは図示した構成要素に関連するホスト機能を全て取り扱う。
【００２２】
　図２に示す接続線に沿って種々の相互接続基準の間にて接続を入れ換えるような内部形状にされた特別注文のアダプタケーブルを生成することが可能である。本発明では、一端において共通コネクタとしての汎用インターフェースを備えているが、別の接点割当基準に合わせて形成されたコネクタに取り付けられるように、他端において適正なコネクタを備えたアダプタケーブルの形成を多少意図している。この目的を達するため、２つの問題が解決されている。第１に、適正コネクタはいかなる電話装置も電気インターフェースに拘らず適合するように設計されている。第２に、如何なる電話装置がアダプタケーブルに接続されているのかを正確に判断し、電子インターフェースがこの電話に適合できるようになる手段が付与されている。
【００２３】
　適正コネクタは幾つかの相反する要件を満たさねばならない。許容できるコネクタシステムは低コストであって、種々の固定装置を許容し、自動車と同様に車両、ボート、トラクタ、住居等における使用のような操作環境に対して好適な特徴を有さねばならない。
【００２４】
　操作環境においては、電話系を干渉信号から保護すると同時に、干渉信号を検知可能な他の装置との干渉を防止するため、ケーブル及びコネクタのシールドが要求される。この種のコネクタ及びアダプタケーブル系を図４に示し、以下に説明する。
【００２５】
　汎用コネクタ４５はピン機能の所定の割当に従って配置されている。ケーブル４６の反対側端部には、例えば図２Ａ〜２Ｆに示すセルラー電話の中の特定のセルラー電話に装着されるように形成されたコネクタ４８が取り付けられている。ケーブル４６の内部導体はピン機能が整合するようにプラグ４５及び４８の内部において接続されている。同様にして以下により詳細に記載するように、コネクタ４５は、プラグ４５に装着される使用装置に信号を付与するための構成を有しし、この信号がコード化されてケーブル４６の他端においてコネクタ４８に差し込まれたセルラー電話の種類を識別する。
【００２６】
　図４のケーブルのように標準インターフェース接続を行うのに好適なコネクタの一例を図９に示す。このコネクタは好ましくはパネルに装着され、並列接点を備えた絶縁材の方形中心ブロック１００を保護する保護フード９０を備えている。各列は好ましくは金メッキ製のほぼ平らな８つの接点９１〜９８及び１０１〜１０８を有している。これら接点は組合せコネクタの接点に圧力を付与する小型の板ばねを形成すべく、多少凸状に形成されている。こうして、組合せコネクタのインターフェースは、これらコネクタが挿入中においてセルフワイピング作用による自浄式となるようになっている。これは特に自動車用の場合に考慮を要する。
【００２７】
　所望とあれば、フード９０はケーブル信号に干渉する外部信号に対してのシールドを付与し、或いは逆にケーブル４６中の信号が他の装置に干渉しないようにすることが可能であることに留意されたい。これは、ケーブル４６の本体を収容するスリーブ型ＲＦシールドにフード９０を電気的に接続し、同様の遮蔽フードを反対側端部コネクタ４８に接続することによって可能である。
【００２８】
　接続ピン９１〜９８及び１０１〜１０８はブロック１００の各側に沿って配列され、管状同軸無線周波数（ＲＦ）コネクタ９９が一端に向かって離間した位置関係にある。この種の通常のコネクタ９９は直径が０．１０インチ（０．２５４ｃｍ）であり、同軸ケーブルに取り付けられるのに好適な周波数８００〜９００ＭＨｚにおいてこの定在波比は低くなっている。接点との接続手段ははんだ付け、圧着等のように従来通りである。中心ブロック１００及びＲＦコネクタ９９は物理的損傷を受けないように方形シェル９０に埋め込まれている。組合せコネクタはこれと同様の特性を有し、保護ケーブルのひずみを緩和するように設計されたハウジング及び確実に係合させると同時に取外しを容易に行うロック機構を備えている。
【００２９】
　図４のコネクタ４５が図９に従って配置され、一方ケーブル４６の反対側端部におけるコネクタ４８が図３の基準に基づいて形成されるとすると、ケーブル４６を貫通するコンダクタは類似機能を有するピンを各プラグにおいて相互接続することになる。こうして、同軸ケーブルはＲＦプラグ２５とＲＦプラグ９９とを接続する。コンダクタはバッテリーピン３１と充電ピン１０１、ピン３６及び３９と接地ピン９１、クロックピン３７とピン９６、ピン３５とピン９２、ピン４０とピン９４もそれぞれ相互接続する。更に、ピン３４はピン１０３に接続され、ピン３２はピン１０２と相互接続される。最後にピン３３はピン９７に接続され、ピン３８はピン３５のようにピン９５に通じる。
【００３０】
　図３のピン３６及び３９における接地の１つがシャシ接地ではなく信号接地であると、この特定のピンはピン１０４に接続することになる。図９により設定された標準規格において、Ｐ１〜Ｐ４に識別されるピン１０５〜１０８は図６〜８に詳述するように装置の同定を目的として用いられている。図９のコネクタはバッテリー温度のセンサー入力端子９８を有していることに留意されたい。この目的はこの種のセンサー出力を有するセルラー電話を適合させるためであるが、図３のコネクタはこの機能を備えていない。プラグ９０に取り付けられる制御装置は端子１０５〜１０８から機種の同定を検知すると、ここで関わる電話器型がバッテリー温度検知信号を有さないということを理解し、ピン９８を無視する。そうでなければ、制御器は相互接続を調整し、端子９１〜９８及び１０１〜１０４の機能を支持し、適正コネクタを介してコネクタ９０からのケーブルの他端に接続された電話器と充分に協働する。
【００３１】
　図１０はスナップ取付式隔壁装着バージョンであるコネクタ１２０を示し、これはアダプタケーブルと係合する。方形の切欠き内にパネルの前面から装着され、トリム表縁１２１は前面パネル装着面を形成している。一般的に行われているように、１２２のような成形クリップは挿入を容易にしているが、突出してパネルの後面にロックし、コネクタ体を保持すると同時にパネルの一定範囲の厚さを受容する。このバージョン及び以下のバージョンは自動車に独創的に装置を設置するのに有用である。
【００３２】
　図１１のアッセンブリ１２５は図１０に多少類似しているが、コネクタ１２６を前後のいずれかから挿入するように設計されている。例えば、表縁アッセンブリ１２８はアッセンブリ１２８をパネル開口にて保持すべく、上記の図１０のクリップに似た１２９のようなスナップ装着式保持クリップを有している。アッセンブリ１２８はコネクタ体１２６の受けとして機能し、本例において、このコネクタ体１２６は上面及び下面にて１３０のようなスナップ凸縁を有し、これら凸縁は表縁アッセンブリ１２８におけるスロット１３１及び１３２のようなスロットにそれぞれ係合する。例えばケーブルがエレクトロニクスモジュールに永続的に固定されるような場合においては、後部装着が望ましい。設置を容易にし、生産コストを低減するために、この方法及び前記装着方法を改変することが可能である。例えば、装着方法中のダッシュボードの成形を排除或いは変更するエレメントと表縁とを一体化することができる。
【００３３】
　図１２はアダプタケーブルと係合するコネクタ１１０を示している。このバージョンの特徴は通常の自動車用ライターアッセンブリと同じように設計されたハウジング１１２にあり、その直径は約７／８インチ（２．２２ｃｍ）である。このバージョンは、特に着脱可能であるならば、保持タブ１１５及び位置決め溝１１６のようなパネルとの固定手段を有し得る。車両を改造してしまうことなく、既存のライターアッセンブリを取り替えることで設置が行われる。必要とあれば、元のライターアッセンブリをいつの日か再設置して車両を元の状態に修復することができる。このバージョンはアフターマーケットの取付キットにおいて有用である。
【００３４】
　図１３は延長ケーブルを設けたり、或いはコネクタ又はケーブル体に直接取付が可能な種々の装着方法を許容することが望ましい時に使用されるアダプタケーブルの組合せケーブルの一端である。即ち、コネクタ７５は図４のケーブル４６に相当するケーブル７６に取り付けられている。ケーブル７６の他端におけるコネクタは図１３には示されてないが、図４のコネクタ４５と同一である。こうして、受け用雌コネクタエレメント７７及び７８はプラグ４５と同様の構成の雄コネクタとの取付に適している。
【００３５】
　電話器の構成及び機種を判断するための１つの実施例では、エレクトロニクスモジュールと同定するためにケーブルアダプタを用いている。これはプロセッサに備えられた複数のピン、即ちプログラム装置として使用されるケーブルコネクタの共通端によって行われ、図６Ａ〜６Ｄに示す構成となる。物理的かつ電気的に相互接続された複数のピン５１〜５５を有する導電構造体５０は、図６Ｂに示すようにコネクタ体５８に挿入されてコネクタ体５８に保持される。コネクタ５０がコネクタ体５８に挿入されると、短い接続リンク５６はコネクタ体５８の上方のリッジ即ち肩部５７の上方に延びる。これらのリンクは好ましくは２進パターンに従って切りとられてプロセッサに対して識別データを生成し、ケーブルの他端に取り付けられるセルラー電話の機種を判定できるようにする。
【００３６】
　例えば、リンク５４が図６Ｃにおける間隙５９として示されるように切りとられると、この結果生じるピン５４に対する回路が開放される。こうして、図６Ｄにおけるピン５１〜５５の電流検知はピン５４の開回路状態を示すことになる。コネクタ体５８はコネクタが接続された時に切りとられた接点が抜け落ちたり、或いはコネクタ体に滑り戻らないように、この切りとられた接点の端部を保持するための従来から周知の手段（図示せず）を有している。
【００３７】
　ピン５５が図７に示すように共通バスとみなされ、回路共通受け６０に接続されると、デコード論理回路６６はデジタル論理供給電圧７２に接続された抵抗回路網７０によって組合せコネクタ６０において電圧を設定することができる。この例では、ピン５１は最上位ビットを表し、順次、ピン５４は最下位ビットを表している。こうして、復号論理６６によって組合せコネクタ６０においてデジタルパターン０００１を検知できる。よって、コネクタ５０の構成によって相異なるコードを総計１６個検知でき、システム接地（９１または１０４）を用いた時には３２個のコードを検知できる。コネクタピンを追加使用することによって、得られる特有のコードの数を実質的に増加させることができる。所望とあれば、セルラー電話又はこのコネクタにおいてデジタル又はアナログ認識コードを生成することができる。しかし、これには複雑な回路及びケーブルを貫通する更なる導体が必要とされ、これを回避するには本明細書中に記載のようにコード生成を汎用コネクタに組み込む。
【００３８】
　通常のシステム構成において、結線接続された制御ユニット又は他の電子エレメントの組合せが許容されるが、コンピュータはホストアッセンブリの一部である。制御ユニット、即ちコンピュータは一連のデータブロックを記憶装置又は他データ保存装置に記憶する。各ブロックは汎用コネクタを介して特定機種のセルラー電話を動作させるために、汎用コネクタインターフェース回路を制御するのに必要な命令を有している。各データブロックは汎用コネクタ側のコンピュータに呈示される認識コードに従ってデータ保存装置から検索可能である。制御装置は認識データによって特定される機種のセルラー電話と協働するために、ホストシステム汎用コネクタインターフェースにおいて、検索データを用いて互換性の一組のスイッチ、電圧レベル、信号路等を設定する。システムも同様に制御され、取り付けられるセルラー電話との正常機能を以後設定する。セルラー電話がケーブルの一端に接続され、ケーブルの他端がホストシステム汎用コネクタ入力ポートに取り付けられた時であれば何時でも、システムは機能を開始することができる。
【００３９】
　通常の機能において、ホストアッセンブリにおけるデコード装置は汎用コネクタ５０のピン接続をサンプリングする。これらピン接続はケーブルの他端側に存在するコネクタ及び／又は電話器の機種を同定するためのコード信号のソースとして特定されている。プロセッサはこれらピンから同定用２進数をデコードすることによってこれを実施する。プロセッサは実際にはテーブル索引動作によって電話器の機種を同定する。セルラー電話の機種を判定してしまうと、次にプロセッサは必要なインターフェース電圧、信号プロトコル及び相互接続を設定し、取付電話の機種に合う適切な方法でベースユニットは電話器と通信できる。
【００４０】
　コード化を行う更に別の実施例を図８に示している。この実施例において、アナログ・デジタル（Ａ／Ｄ）変換器８０は基準電圧（Ｖref）を組合せコネクタピン８２及び８３に向けられたライン８１に付与する。この基準電圧は抵抗８４（Ｒprog）及び半ブリッジ形状の抵抗８５（Ｒfixed）を備えた回路の中に電流を生成し、Ａ／Ｄ変換器８０の信号入力部に接続されたピン８７において電圧を付与する。６ビットＡ／Ｄ変換器は６４個の２進コードを論理回路８６に付与できる。各Ｒprog抵抗８４の値は式Ｖout＊Ｒfixed／（Ｖref−Ｖout）から計算できる。この計算の例を添付の表１に示している。ここで、Ｒprogはプログラム抵抗値のリストであり、これら抵抗値は明らかな２進出力コードとなるＤ／Ａ変換器８０への６４個の入力電圧の１つを固有に確定する。Ｒfixedは半ブリッジ校正抵抗８５であり、Ｖrefは線８１上にある。表１において、Ｖrefは５．０ボルトであり、Ｒfixは１００ｋオームであり、「Ｈｅｘ」は１６進アドレスであり、「１．４３Ｅ＋０３」のようなＲprogの用語は１．４３にＥの３乗（即ち１０００）を掛け合わせることによって計算されるオーム単位の抵抗値のことである。
【００４１】
　前記装置及び方法の更に別のバージョンでは一端が共にＶｒｅｆに接続された複数のプログラム抵抗及び同数のＡ／Ｄ変換器を用いている。これにより認識ビット数が大幅に増加し、或いは変換ビット数が少なくなり、より安価となったＡ／Ｄ変換器を使用できる。
【００４２】
　本発明の好ましい実施例を詳述しているが、当業者であれば本発明の思想から逸脱することなく、本明細書で詳述した以外の種々の変形、改変、追加及び用途を理解されよう。
【００４３】
【表１】
2004007783.tif 000003
2004007783.tif 000004
【図面の簡単な説明】
【００４４】
【図１】最新のセルラー電話及びその相互接続ポートを示す。
【図２】Ａ〜Ｆはセル方式携帯無線電話の種々の入力／出力物理的インターフェースを示す。
【図３】最新のセルラー電話用の通常の入力／出力コネクタに関連する電気機能の図表である。
【図４】本発明に基づくアダプタケーブルの一実施例である。
【図５】通常のセル方式携帯無線電話装置のブロック図である。
【図６】Ａ〜Ｄは本発明に基づくコード化アダプタケーブルコネクタを具体化した一方法を示す。
【図７】アダプタインターフェースコネクタを同定するための本発明に基づく実施例の概略図である。
【図８】選択可能な抵抗手段によってアダプタケーブルを同定するための本発明の別の実施例の部分概略図である。
【図９】本発明に関連して使用される具体的な接続割当基準の図表である。
【図１０】パネル、ダッシュボード、隔壁等への取付けに好適なケーブルコネクタの取付形状を示す。
【図１１】パネル型取付に好適なケーブルコネクタの別の取付形状を示す。
【図１２】車両用シガレットライターに代わるケーブルコネクタの取付配置を示す。
【図１３】図４のケーブルを延長線として調整するための雌コネクタの例を示す。
【符号の説明】
【００４５】
１０…セルラー電話、４５…コネクタ、４８…コネクタ、１５０…ホストアッセンブリ
【図１】
2004007783.tif 000005
【図２】
2004007783.tif 000006
【図３】
2004007783.tif 000007
【図４】
2004007783.tif 000008
【図５】
2004007783.tif 000009
【図６】
2004007783.tif 000010
【図７】
2004007783.tif 000011
【図８】
2004007783.tif 000012
【図９】
2004007783.tif 000013
【図１０】
2004007783.tif 000014
【図１１】
2004007783.tif 000015
【図１２】
2004007783.tif 000016
【図１３】
2004007783.tif 000017